(57)【要約】  電気ベンチレータを制御する方法は、電気モーターの回転速度Ｖの第１値を設定するステップと、電子パワー手段の最大閾値温度Ｔ３Mを設定するステップと、マイクロコントローラの最大閾値温度Ｔ３Dを設定するステップと、Ｔ３Dを下回るマイクロコントローラの第１閾値温度Ｔ１Dを設定するステップと、マイクロコントローラの温度ＴDを監視するステップと、電子制御手段の温度ＴMを監視するステップと、Ｔ３Mを下回る電子パワー手段の第１閾値温度Ｔ１Mを設定するステップと、所定時間Ｘのカウンタを準備するステップと、温度ＴD又はＴMが個々の第１閾値温度Ｔ１D、Ｔ１Mを超過した場合に、カウンタを起動するステップと、所定時間Ｘの後に、温度ＴD又は温度ＴMが個々の第１閾値温度Ｔ１D、Ｔ１Mを上回っている場合に、電気モーターの回転速度ＶをＶ１を下回る第２値Ｖ２に低減するステップと、を有する。【選択図】図２
2017522849.tif 000002
【特許請求の範囲】
【請求項１】
電気モーターと、前記電気モーターを制御する電子回路と、を有する電気ベンチレータを制御する方法であって、前記制御電子回路は、少なくとも１つのマイクロコントローラと、前記電気モーターに回転速度Ｖを付与するための電子パワー手段と、を有し、
前記電気モーターの前記回転速度Ｖの第１値Ｖ１を設定するステップと、
前記電子パワー手段の最大閾値温度Ｔ３Mを設定するステップと、
前記マイクロコントローラの最大閾値温度Ｔ３Dを設定するステップと、
前記マイクロコントローラの前記最大閾値温度Ｔ３Dを下回る前記マイクロコントローラの第１閾値温度Ｔ１Dを設定するステップと、
前記マイクロコントローラの前記温度ＴDを監視するステップと、
前記電子パワー手段の前記温度ＴMを監視するステップと、
を有する方法において、
前記電子パワー手段の前記最大閾値温度Ｔ３Mを下回る前記電子パワー手段の第１閾値温度Ｔ１Mを設定するステップと、
前記第１値Ｖ１を下回る前記電子モーターの前記回転速度Ｖの第２値Ｖ２を設定するステップと、
所定時間Ｘのカウンタを準備するステップと、
前記マイクロコントローラの前記温度ＴD又は前記電子パワー手段の前記温度ＴMが、前記個々の第１閾値温度Ｔ１D、Ｔ１Mを超過している場合に、前記カウンタを起動するステップと、
前記所定時間Ｘの後に、前記マイクロコントローラの前記温度ＴD又は前記電子パワー手段の前記温度ＴMが、前記個々の第１閾値温度Ｔ１D、Ｔ１Mを上回っている場合に、前記電気モーターの前記回転速度Ｖを前記第２値Ｖ２に低減するステップと、
を有することを特徴とする方法。
【請求項２】
前記マイクロコントローラの前記温度ＴD及び前記電子パワー手段の前記温度ＴMが、それぞれ、前記個々の第１閾値温度Ｔ１D、Ｔ１M未満となった場合に、前記電気モーターの前記回転速度Ｖは、前記第１値Ｖ１に戻される請求項１に記載の方法。
【請求項３】
前記マイクロコントローラの前記温度ＴD及び前記電子パワー手段の前記温度ＴMが、それぞれ、好ましくは、２から８℃の間の安全率Ｙだけ低減された前記個々の第１閾値温度Ｔ１D、Ｔ１M未満となった場合に、前記電子モーターの前記回転速度は、前記第１値Ｖ１に戻される請求項１又は２に記載の方法。
【請求項４】
前記方法は、
前記マイクロコントローラの前記最大閾値温度Ｔ３Dを下回ると共に前記マイクロコントローラの前記第１閾値温度Ｔ１Dを上回る前記マイクロコントローラの第２閾値温度Ｔ２Dを設定するステップと、
前記電子パワー手段の前記最大閾値温度Ｔ３Mを下回ると共に前記電子パワー手段の前記第１閾値温度Ｔ１Mを上回る前記電子パワー手段の第２閾値温度Ｔ２Mを設定するステップと、
前記所定時間Ｘ内において、前記マイクロコントローラの前記温度ＴD又は前記電子パワー手段の前記温度ＴMが前記個々の第２閾値温度Ｔ２D、Ｔ２Mを超過した場合に、前記モーターの前記回転速度Ｖを前記第２値Ｖ２に低減するステップと、
を有する請求項１から３のいずれか１項に記載の方法。
【請求項５】
前記マイクロコントローラの前記温度ＴD又は前記電子パワー手段の前記温度ＴMが前記個々の最大閾値温度Ｔ３D、Ｔ３Mを超過した場合に、前記第１回転速度Ｖ１は、ゼロに変更される、即ち、前記電気モーターが停止される、請求項１から４のいずれか１項に記載の方法。
【請求項６】
前記マイクロコントローラの前記温度ＴD及び前記電子パワー手段の前記温度ＴMが、それぞれ、前記個々の第１閾値温度Ｔ１D、Ｔ１M未満となった場合に、前記カウンタは、リセットされる、請求項１から５のいずれか１項に記載の方法。
【請求項７】
前記マイクロコントローラの前記温度ＴD及び前記電子パワー手段の前記温度ＴMが、それぞれ、好ましくは、２から８℃の安全率Ｘだけ低減された前記個々の第１閾値温度Ｔ１D、Ｔ１M未満となった場合に、前記カウンタは、リセットされる請求項１から６のいずれか１項に記載の方法。
【請求項８】
前記回転速度の前記第２値Ｖ２は、一定の百分率Ｄだけ低減された前記第１速度値Ｖ１として、即ち、Ｖ２＝Ｖ１−Ｄ％として、設定される請求項１から７のいずれか１項に記載の方法。
【請求項９】
前記一定の百分率Ｄの値は、３から８の間である、即ち、３≦Ｄ≦８である請求項８に記載の方法。
【請求項１０】
前記既定の時間Ｘは、２分から５分の間である、即ち、２分≦Δｔ≦５分である請求項１から９のいずれか１項に記載の方法。
【請求項１１】
前記電子パワー手段の前記最大閾値温度Ｔ３Mは、１６０℃以上であると共に１６５℃未満である、即ち、１６０℃≦Ｔ３M＜１６５℃である請求項１から１０のいずれか１項に記載の方法。
【請求項１２】
前記マイクロコントローラの前記最大閾値温度Ｔ３Dは、１５５℃以上であると共に１６０℃未満である、即ち、１５５℃≦Ｔ３D＜１６０℃である請求項１から１１のいずれか１項に記載の方法。
【請求項１３】
前記マイクロコントローラの前記第１閾値温度Ｔ１Dは、１４５℃以上であると共に１５０℃未満である、即ち、１４５℃≦Ｔ１D＜１５０℃である請求項１から１２のいずれか１項に記載の方法。
【請求項１４】
前記電子パワー手段の前記第１閾値温度Ｔ１Mは、１５０℃以上であると共に１５５℃未満である、即ち、１５０℃≦Ｔ１M＜１５５℃である請求項１から１３のいずれか１項に記載の方法。
【請求項１５】
前記マイクロコントローラの前記第２閾値温度Ｔ２Dは、１５０℃以上であると共に１５５℃未満である、即ち、１５０℃≦Ｔ２D＜１５５℃である請求項４に記載の方法。
【請求項１６】
前記電子パワー手段の前記第２閾値温度Ｔ２Mは、１５５℃以上であると共に１６０℃未満である、即ち、１５５℃≦Ｔ２M＜１６０℃である請求項４に記載の方法。
【発明の詳細な説明】
【技術分野】
【０００１】
本発明は、電気ベンチレータを制御する方法に関し、且つ、更に詳しくは、自動車用途における電気ベンチレータの電気モーターを制御する方法に関する。
【背景技術】
【０００２】
電気ベンチレータは、放熱体を冷却すると共にこれから熱を除去するという機能により、自動車の分野において広く使用されている。
【０００３】
電気ベンチレータは、要すれば、電気モーター、電気モーターによって駆動されるファン、及びモーターを制御する電子回路を有する。
【０００４】
その制御電子回路特有の特徴は、また、例えば、特に、高周辺温度又は突発的障害などの過酷な動作状態によってもたらされる、なんらかの過熱又は超過温度から電気モーター及び電子回路を保護することの可能性があることである。
【０００５】
更に詳しくは、過熱は、内部に装着された制御電子回路を有し、閉鎖及び／又は封止されたタイプの電気モーターを有する電気ベンチレータにおいては、扱いにくいものであり、この場合には、放熱が、相対的に大きな重要性を有し、且つ、大幅に低減されなければならない。
【０００６】
一般に、電気ベンチレータ及び制御電子回路は、正確な温度範囲によって特徴付けられており、この範囲内においては、動作が最適且つ安全であり、且つ、公称性能が保証されている。
【０００７】
モーターが公称値において動作しているにも拘わらず、モーター内において、許容可能な最大値を上回る温度上昇が存在する場合には、可能な損傷から制御電子回路を、特に電子コンポーネントを、保護するべく、介入する必要がある。
【０００８】
１つの制御方式は、許容可能な値を上回る温度上昇の場合に、制御電子回路を保護するべく、モーターを「ディグレーディング(degrading、低下)」するステップ、即ち、もはや保証されない公称性能レベルとの比較において効率及びパワー出力を低減するステップ、を有する。
【０００９】
ディグレーディングは、実際には、例えば、外部温度の上昇の影響を防止するべく、モーターの動作温度を低下させるべく使用される。
【００１０】
一般に、制御電子回路は、その他の電子コンポーネントに加えて、マイクロコントローラと、例えば、ＭＯＳＦＥＴなどの複数の電子パワーコンポーネントと、を有する。
【００１１】
既知の制御方法は、マイクロコントローラ又はマイクロコントローラが設置されているカードの、並びに、パワーＭＯＳＦＥＴの、温度を監視し、ＭＯＳＦＥＴの温度が個々の最大閾値温度に到達した場合に、モーターを停止させるステップを有する。
【００１２】
このマイクロコントローラの温度を考慮した既知の制御方法に関係する図１Ａ及び図１Ｂを参照すれば、公称速度Ｖnにおける動作状態において始まり、マイクロコントローラの温度Ｔmicroが個々の第１閾値温度Ｔderに到達した場合に、例えば、ΔＴにおける比例的誤差を伴って、最大で、それを超えた場合に電気ベンチレータが公称速度との比較において極めて低減された一定の速度において回転を継続する値Ｖminutes（Ｖmin）まで、モーター速度を相応して低減することを伴う、電気ベンチレータの性能をディグレーディングするためのプロセスが起動される。
【００１３】
ディグレーディングにも拘らず、マイクロコントローラの温度が第２閾値温度Ｔmaxまで上昇を継続した場合には、モーターは停止され、且つ、速度が０に変更される。
【００１４】
実際には、ディグレーディングは、温度誤差に基づいて、例えば、ＰＩなどの制御装置により、制御されており、モーターが停止する前に、マイクロコントローラの温度が再度Ｔder未満に降下した、図示されてはいない、ケースにおいては、再度、速度をＶnまで上昇させている。
【００１５】
この制御及び保護方法の主な欠点は、特定の状態において、電気ベンチレータの回転速度が過度に低減され、その結果、超過温度が、相対的に短時間で終了する一時的な事象（event）によって生じた場合にも、電気ベンチレータが設置されている車両の全体がリスクに晒されうるという点にある。
【発明の概要】
【発明が解決しようとする課題】
【００１６】
この文脈において、本発明の主な目的は、上述の欠点を克服することにある。
【００１７】
本発明の目的は、車両全体の安全性を向上させ、これにより、電気ベンチレータのディグレーディングと、場合によっては、過度に突発的なスイッチングオフと、を回避する電気ベンチレータを制御する方法を提案することにある。
【課題を解決するための手段】
【００１８】
示されている技術的な目的及び規定されている狙いは、実質的に、請求項１に記載の制御方法によって実現される。
【００１９】
本発明の更なる特徴及び利点については、添付図面に概略的に示されている電気ベンチレータ用の制御方法の好適で非限定的な実施形態を参照した以下の詳細な説明により、更に明らかとなろう。
【図面の簡単な説明】
【００２０】
【図１Ａ】既知のタイプの制御方法における時間の関数としてのマイクロコントローラの温度図の一例を示す。
【図１Ｂ】既知のタイプの制御方法の図１Ａの図と関連した時間の関数としてのモーターの回転速度の図を示す。
【図２】本発明による制御方法のブロック図を示す。
【図３Ａ】本発明による制御方法における時間の関数としてのマイクロコントローラの温度の図を示す。
【図３Ｂ】ＭＯＳＦＥＴの温度の図を示す。
【図３Ｃ】カウンタのタイムアウトの図を示す。
【図３Ｄ】モーターの回転速度の図を示す。
【発明を実施するための形態】
【００２１】
図２を参照すれば、符号１００は、実質的に既知のタイプの、且つ、図示されてはいない、電気ベンチレータを制御する方法との関係におけるブロックダイアグラムを表記している。
【００２２】
好ましくは、本方法によって制御される電気ベンチレータは、要すれば、電気モーターと、電気モーターによって駆動されるファンと、電気モーターを駆動及び制御するカードと、を有する。
【００２３】
電子カードは、好ましくは、モーターの内部において収容されており、モーターは、好ましくは、封止されたタイプである。
【００２４】
電子カードは、マイクロコントローラ又はドライバと、電気モーターを制御すると共にこれに電力を供給する電子パワー手段と、を有し、電子パワー手段は、例えば、且つ、好ましくは、ＭＯＳＦＥＴを有しており、以下においては、明示的にＭＯＳＦＥＴと呼称することとする。
【００２５】
電子カードは、回転速度Ｖをモーターに付与している。
【００２６】
マイクロコントローラは、相対温度ＴDを有し、且つ、ＭＯＳＦＥＴは、相対温度ＴMを有する。
【００２７】
電気ベンチレータを制御するための本発明による方法は、モーターが起動された後に、ほぼ電気ベンチレータの公称速度に対応した、即ち、電気ベンチレータが公称性能を保証している速度に対応した、電気モーターの回転速度Ｖの第１値Ｖ１を定義又は設定するステップを有する。方法は、電子パワー手段の、更に詳しくは、ＭＯＳＦＥＴの、最大閾値温度Ｔ３Mを定義又は設定するステップを有する。
【００２８】
方法は、マイクロコントローラの最大閾値温度Ｔ３Dを定義又は設定するステップを有する。
【００２９】
方法は、マイクロコントローラの最大閾値温度Ｔ３D未満であるマイクロコントローラの第１閾値温度Ｔ１Dを定義又は設定するためのステップを有する。
【００３０】
方法は、ＭＯＳＦＥＴの最大閾値温度Ｔ３M未満である電子パワー手段の、更に詳しくは、ＭＯＳＦＥＴの、第１閾値温度Ｔ１Mを定義又は設定するステップを有する。
【００３１】
方法は、マイクロコントローラの最大閾値温度Ｔ３D未満であると共にマイクロコントローラの第１閾値温度Ｔ１Dを上回るマイクロコントローラの第２閾値温度Ｔ２Dを定義又は設定するステップを有する。
【００３２】
方法は、ＭＯＳＦＥＴの最大閾値温度Ｔ３M未満であると共に電子パワー手段の第１閾値温度Ｔ１Mを上回る電子パワー手段の、更に詳しくは、ＭＯＳＦＥＴの、第２閾値温度Ｔ２Mを定義又は設定するステップを有する。
【００３３】
好適な一実施形態においては、マイクロコントローラの第１閾値温度Ｔ１Dは、１４５℃以上であると共に１５０℃未満であり、即ち、１４５℃≦Ｔ１D＜１５０℃である。
【００３４】
好適な一実施形態においては、マイクロコントローラの第２閾値温度Ｔ２Dは、１５０℃以上であると共に１５５℃未満であり、即ち、１５０℃≦Ｔ２D＜１５５℃である。
【００３５】
好適な一実施形態においては、マイクロコントローラの最大閾値温度Ｔ３Dは、１５５℃以上であると共に１６０℃未満であり、即ち、１５５℃≦Ｔ３D＜１６０℃である。
【００３６】
好適な一実施形態においては、電子パワー手段の第１閾値温度Ｔ１Mは、１５０℃以上であると共に１５５℃未満であり、即ち、１５０℃≦Ｔ１M＜１５５℃である。
【００３７】
好適な一実施形態においては、電子パワー手段の第２閾値温度Ｔ２Mは、１５５℃以上であると共に１６０℃未満であり、即ち、１５５℃≦Ｔ２M＜１６０℃である。
【００３８】
好適な一実施形態においては、電子パワー手段の最大閾値温度Ｔ３Mは、１５５℃以上であると共に１６０℃未満であり、即ち、１５５℃≦Ｔ３M＜１６０℃である。
【００３９】
方法は、マイクロコントローラの温度ＴDを監視するステップと、電子パワー手段の、更に詳しくは、ＭＯＳＦＥＴの、温度ＴMを監視するステップと、を有する。
【００４０】
図３Ａ及び図３Ｂは、それぞれ、マイクロコントローラの温度ＴDの時間に伴う傾向の一例、並びに、電子パワー手段の、更に詳しくは、ＭＯＳＦＥＴの、温度ＴMの時間に伴う傾向の一例、を示している。
【００４１】
又、図３Ａ及び図３Ｂの図は、温度Ｔ１D、Ｔ２D、Ｔ３D、並びに、Ｔ１M、Ｔ２M、Ｔ３Mという個々の上述の閾値をも順番に示している。
【００４２】
要すれば、且つ、実際上は、マイクロコントローラの、且つ、ＭＯＳＦＥＴの、温度が参照されてはいるものの、有利には、マイクロコントローラ又はＭＯＳＦＥＴに実質的に対応した温度を考慮することにより、即ち、例えば、これらのコンポーネントに対応した電子カードの温度を監視することによってこれらを間接的に監視することにより、この方法を実装することも可能であることに留意されたい。
【００４３】
本発明によれば、制御方法は、既定の時間Ｘのカウンタを提供するステップを有しており、更に詳細に後述するように、適切に制御されたカウンタは、時間Ｘの経過をカウントしている。
【００４４】
既定の時間Ｘは、好ましくは、２分〜５分であり、即ち、２分≦Ｘ≦５分である。
【００４５】
好ましくは、時間Ｘは、３分に対応しており、以下においては、この時間の期間を明示的に参照することとするが、これは、本発明の範囲を限定するものではない。
【００４６】
図２を詳しく参照すれば、モーターの公称速度Ｖ１が設定されたら、特に、モーターを保護するための制御方法又は手順は、以下のように実行される。
【００４７】
ブロック２００は、プロセスの開始を示している。
【００４８】
ブロック２１０でマイクロコントローラ又はＭＯＳＦＥＴの温度が個々の第１閾値温度Ｔ１D又はＴ１Mを超過した場合に、ブロック２２０でカウンタが起動される。
【００４９】
ブロック２１０でマイクロコントローラ及びＭＯＳＦＥＴの温度が個々の第１閾値温度Ｔ１D又はＴ１M未満において留まっている場合には、プロセスは、ブロック２１０において閉じた状態において留まる。
【００５０】
ブロック２３０でマイクロコントローラの温度又はＭＯＳＦＥＴの温度が個々の最大閾値温度Ｔ３D及びＴ３Mを超過している場合には、ブロック２４０でモーターが停止され、即ち、回転速度Ｖが０に低下される。
【００５１】
ブロック２５０で、モーターがスイッチオフされると、プロセスは、マイクロコントローラの温度及びＭＯＳＦＥＴの温度の両方が、制御方法をより安定化（robust）させる定数Ｙ、好ましくは２から８℃の間の値、だけ低減された個々の第１閾値温度Ｔ１D、Ｔ１M未満に低下したかどうかをチェックする。この場合にも、以下においては、わかりやすくするべく、閾値温度に言及する際には、ヒステリシス定数Ｙを更に表示することはしない。図３Ａ〜図３Ｄにおいても、具体的な熱ヒステリシス（thermal hysteresis）の表示は、省略されている。
【００５２】
マイクロコントローラの温度ＴD及びＭＯＳＦＥＴの温度ＴMの両方が、個々の第１閾値温度Ｔ１D、Ｔ１M未満に低下している場合には、ブロック２６０でモーターは、再起動され、且つ、ブロック２７０でカウンタは、停止され、且つ、ゼロに設定される。
【００５３】
ブロック２３０でマイクロコントローラの温度及びＭＯＳＦＥＴの温度が、個々の最大閾値温度Ｔ３D及びＴ３M未満において留まっている場合には、ブロック２８０でプロセスは、マイクロコントローラの温度及びＭＯＳＦＥＴの温度の両方が、好ましくは、定数Ｙだけ低減された個々の第１閾値温度Ｔ１D、Ｔ１M未満に低下したかどうかをチェックする。
【００５４】
マイクロコントローラの温度及びＭＯＳＦＥＴの温度の両方が、個々の第１閾値温度Ｔ１D、Ｔ１M未満に低下している場合には、ブロック２７０でカウンタは、停止され、且つ、ゼロに設定される。
【００５５】
ブロック２８０でマイクロコントローラの温度又はＭＯＳＦＥＴの温度が、依然として、個々の第１閾値温度Ｔ１D、Ｔ１Mを上回っており、ブロック２９０でカウンタによってカウントされる時間Ｘが経過している場合には、ブロック３００でモーターの回転速度Ｖは、第２値Ｖ２に低減される。
【００５６】
好ましくは、回転速度の第２値Ｖ２は、好ましくは、３から８の間である一定の百分率Ｄだけ低減された第１速度値Ｖ１として、即ち、Ｖ２＝Ｖ１−Ｄ％として、設定される。
【００５７】
ブロック２８０でマイクロコントローラの温度又はＭＯＳＦＥＴの温度が、依然として、個々の第１閾値温度Ｔ１D、Ｔ１Mを超過しており、且つ、カウンタによってカウントされる時間Ｘが、依然として、進捗している場合（still progress、N）には、ブロック３１０でプロセスは、マイクロコントローラの温度ＴD又はＭＯＳＦＥＴの温度ＴMが、個々の第２閾値温度Ｔ２D又はＴ２Mを超過しているかどうかをチェックするステップを有する。
【００５８】
マイクロコントローラの温度又はＭＯＳＦＥＴの温度が、個々の第２閾値温度Ｔ２D又はＴ２Mを超過している場合には、モーターの回転速度Ｖは、第２値Ｖ２に低減される。
【００５９】
ブロック３１０でマイクロコントローラの温度及びＭＯＳＦＥＴの温度が個々の第２閾値温度Ｔ２D又はＴ２Mを超過していない場合には、プロセスは、実際には、ブロック２３０において継続し、マイクロコントローラの温度及びＭＯＳＦＥＴの温度が個々の最大閾値温度Ｔ３D、Ｔ３Mを超過していないことをチェックする。
【００６０】
以下、図３Ａ〜図３Ｄを参照し、本発明による制御方法の動作の一例について提案する。
【００６１】
図３Ａは、時間に伴うマイクロコントローラの温度ＴDの１つの仮想上の傾向を示しており、図３Ｂは、時間に伴うＭＯＳＦＥＴの温度ＴMの１つの仮想上の傾向を示している。
【００６２】
図示の例においては、時刻ｔ１において、温度ＴDは、個々の第１閾値温度Ｔ１Dに到達し、図３Ｃの「タイムアウト」のカウンタが３分のカウントを開始し、且つ、回転速度は、公称速度に対応した第１値Ｖ１において留まっている。
【００６３】
時刻ｔ２においては、３分が経過した後に、マイクロコントローラの温度ＴD及びＭＯＳＦＥＴの温度ＴMの両方が個々の第１閾値温度Ｔ１D、Ｔ１Dを上回っており、且つ、回転速度Ｖが値Ｖ２に変更され、即ち、回転速度Ｖの低下が存在している。
【００６４】
時刻ｔ３においては、マイクロコントローラの温度ＴD及びＭＯＳＦＥＴの温度ＴMの両方が個々の第１閾値温度Ｔ１D、Ｔ１M未満であり、回転速度Ｖが値Ｖ１に変更され、且つ、カウンタがゼロに設定されている。
【００６５】
時刻ｔ４においては、マイクロコントローラの温度ＴDは、再度、個々の第１閾値温度Ｔ１Dを超過しており、且つ、カウンタが、再度、３分のカウントを開始している。
【００６６】
時刻ｔ５においては、３分が依然として経過していない際に、マイクロコントローラの温度ＴDは、個々の第２閾値温度Ｔ２Dを超過しており、従って、速度が第２値Ｖ２に変更される一方で、カウンタは、好ましくは、カウンティングを継続している。
【００６７】
時刻ｔ７においては、３分が依然として経過していない際に、温度ＴD及びＴMの両方が個々の第１閾値温度Ｔ１D、Ｔ１M未満に低下しており、従って、速度が値Ｖ１に変更され、且つ、カウンタがゼロに設定されている。
【００６８】
時刻ｔ８においては、マイクロコントローラの温度ＴDが個々の第１閾値温度Ｔ１Dを超過しており、且つ、カウンタがＸ分のカウントを開始している。
【００６９】
時刻ｔ９においては、時間Ｘ内において、マイクロコントローラの温度ＴDが個々の第２閾値温度Ｔ２Dを超過しており、従って、モーターの回転の速度Ｖが第２値Ｖ２に低減されている。
【００７０】
時刻ｔ１０においては、マイクロコントローラの温度ＴDがその最大閾値温度Ｔ３Dに到達しており、従って、電気モーターが即座に停止され、且つ、速度Ｖが０に変更されている。
【００７１】
時刻ｔ１１においては、マイクロコントローラの温度ＴD及びＭＯＳＦＥＴの温度ＴMの両方が個々の第１閾値温度Ｔ１D及びＴ１M未満であり、従って、モーターは、速度Ｖ１において再起動され、且つ、カウンタがゼロに設定されている。
【００７２】
図示の好適な実施形態においては、カウンタは、ｔ１０からｔ１１までは、管理されておらず、且つ、カウンタは、ｔ１１におけるリセット又はゼロ化の時点まで、同一の状態に留まっている。
【００７３】
記述されている本発明は、重要な利点をもたらす。
【００７４】
カウンタは、温度上昇が一時的なものである場合には、電気ベンチレータの性能の低下を遅らせることをもたらし、これは、特に有利である。
【００７５】
時間Ｘ内において温度が個々の第１閾値温度未満に低下した場合には、速度は、低下されない。
【００７６】
第２閾値温度Ｔ２M、Ｔ２Dは、温度上昇が相対的に突然であり、且つ、カウンタによって計測される時間が余りにも長すぎる場合に、電気モーター及び車両を保護している。
【００７７】
上述の閾値を超過した場合にも、車両の全体を保護するべく、公称速度未満の速度においてではあるが、電気ベンチレータの動作が、いずれの場合にも、保証されている。
【００７８】
第３閾値温度Ｔ３M、Ｔ３Dは、過剰な過温度が存在している場合に、電気モーターを停止させることにより、システムの保護を保証している。
【００７９】
温度のうちの１つが個々の最大閾値温度に到達した際に、モーターは、スイッチオフされるが、その理由は、モーター室内の温度が極めて高い値に到達している可能性が高いからである。
【００８０】
速度の低下は、既定の事象においては、一定であり、且つ、もはや、時間に伴う温度の変動の関数として調節されてはいない。
【００８１】
電気ベンチレータは、温度上昇の場合にも、動作を継続し、仕様から逸脱している場合にも、電気ベンチレータは、従来技術の制御によるものを超えて動作する。
【図１Ａ】
2017522849.tif 000003
【図１Ｂ】
2017522849.tif 000004
【図２】
2017522849.tif 000005
【図３Ａ】
2017522849.tif 000006
【図３Ｂ】
2017522849.tif 000007
【図３Ｃ】
2017522849.tif 000008
【図３Ｄ】
2017522849.tif 000009
【国際調査報告】
2017522849.tif 000010
2017522849.tif 000011
2017522849.tif 000012